(57)【要約】【課題】この明細書は、コピー処理において、読み取った画像データ中のテキストを、他の部分と異なる色材により印刷する技術を提供すること。【解決手段】一般に、実施形態によれば、画像形成装置は、読取部と、画像形成部と、コントローラと、を備える。読取部は、シート上の画像を読み取る。画像形成部は、第１色材および第２色材を用いてシートに画像を形成する。コントローラは、読取部が読み取ったシートの画像データに対してテキスト認識を行い、テキストを画像形成部によって第２色材を用いてシートに形成し、画像データにおけるテキスト以外の部分を画像形成部によって第１色材を用いてシートに形成する。【選択図】図３
2017102152.tif 000002
【特許請求の範囲】
【請求項１】
シート上の画像を読み取る読取部と、
第１色材および第２色材を用いてシートに画像を形成する画像形成部と、
前記読取部が読み取ったシートの画像データに対してテキスト認識を行い、テキストを前記画像形成部によって前記第２色材を用いてシートに形成し、前記画像データにおける前記テキスト以外の部分を前記画像形成部によって前記第１色材を用いてシートに形成するコントローラと、
を備える画像形成装置。
【請求項２】
請求項１に記載の装置において、
前記コントローラは、前記画像データにおけるテキスト認識を行う範囲の設定画面を前記表示部に表示するとともに、前記範囲の設定を入力部にて受け付け、前記画像データにおける前記範囲に対してテキスト認識を行う画像形成装置。
【請求項３】
請求項１または請求項２に記載の装置において、
前記コントローラは、テキスト認識したテキストのうち、予め定められたテキスト列のみを前記第２色材を用いてシートに形成する画像形成装置。
【請求項４】
請求項１から請求項３のいずれかに記載の装置において、
前記第２色材は、加熱により消色する消色トナーである画像形成装置。
【請求項５】
請求項４に記載の装置において、
前記第１色材は、前記消色トナーの消色温度では消色しない消色不可トナーである画像形成装置。
【発明の詳細な説明】
【技術分野】
【０００１】
この明細書に記載の実施形態は、印刷技術に関する。
【背景技術】
【０００２】
画像データに基づいてシートに画像を形成する画像形成装置が知られる（例えば特許文献１）。従来、画像データにおいて、テキストオブジェクトのみを、他のイメージオブジェクトの印刷に用いるトナーと異なる指定したトナーで印刷する技術がある。
【先行技術文献】
【特許文献】
【０００３】
【特許文献１】特開２０１２−２２６３５０号公報
【発明の概要】
【発明が解決しようとする課題】
【０００４】
しかしながら、画像形成装置がコピーを行う場合、読み取った画像データの全面がイメージオブジェクトとなるので、画像データ中のテキスト（イメージオブジェクト）を指定トナーで印刷できないという問題がある。
【０００５】
この明細書は、コピー処理において、読み取った画像データ中のテキストを、他の部分と異なる色材により印刷する技術を提供することを目的とする。
【課題を解決するための手段】
【０００６】
一般に、実施形態によれば、画像形成装置は、読取部と、画像形成部と、コントローラと、を備える。読取部は、シート上の画像を読み取る。画像形成部は、第１色材および第２色材を用いてシートに画像を形成する。コントローラは、読取部が読み取ったシートの画像データに対してテキスト認識を行い、テキストを画像形成部によって第２色材を用いてシートに形成し、画像データにおけるテキスト以外の部分を画像形成部によって第１色材を用いてシートに形成する。
【図面の簡単な説明】
【０００７】
【図１】画像形成装置の模式図である。
【図２】ＡＤＦの模式図である。
【図３】プロセッサによるコピー処理を説明するためのフローチャートである。
【発明を実施するための形態】
【０００８】
以下、実施形態について図面を用いて説明する。
図１は、画像形成装置１００の模式図である。
画像形成装置１００は、コピー、印刷、スキャン、ＦＡＸ、Ｅｍａｉｌ送信等の複数の機能を有するＭＦＰ(Multi-Function Peripheral)である。
【０００９】
画像形成装置１００は、複数色の消色不可トナー（第１色材）による画像、複数色の消色トナー（第２色材）による画像、消色不可トナーおよび消色トナー両方による画像をシート上に形成可能な画像形成部６を備える。
【００１０】
本実施形態では、消色可能色材として、消色トナーを用いる。消色可能色材は、呈色性化合物、顕色剤、消色剤を含む。呈色性化合物は、例えば青色に発色するロイコ染料が挙げられる。顕色剤は、例えばフェノール類が挙げられる。消色剤は、加熱されると呈色性化合物と相溶し、顕色剤と親和性を有さない物質が挙げられる。消色可能色材は、呈色性化合物と顕色剤との相互作用により発色し、消色温度以上の加熱により呈色性化合物と顕色剤との相互作用が絶たれて消色する。
【００１１】
消色可能色材として、消色インクを用いてもよい。この場合、画像形成部６は、後述する感光体ドラム６２０Ｙ〜６２０Ｋ、６２を用いた電子写真方式ではなく、インクジェット方式によりシートに画像を形成する、すなわちインクジェットヘッドから消色インクを吐出してシートに画像を形成する。
【００１２】
本実施形態では、画像形成装置１００は、消色不可トナーとしてＣ（シアン），Ｍ（マゼンタ），Ｙ（イエロー），Ｋ（ブラック）の４色を用いる。画像形成装置１００は、Ｋの消色不可トナーのみ用いるように構成されていてもよい。
【００１３】
本実施形態では、画像形成装置１００は、青色の消色トナーのみを用いる。画像形成装置１００は、消色トナーとしてＣ〜Ｋの４色を用いるように構成されていてもよい。
【００１４】
消色温度は、後述する定着器６１１がシートを加熱し、消色トナーをシートに定着させる際の定着器６１１の温度（定着温度）および消色不可トナーをシートに定着させる際の定着器６１１の温度（定着温度）よりも高い。消色不可トナーは、消色トナーの消色温度では消色しない。
【００１５】
「消色」とは、シートの下地の色とは異なる色（有彩色のみならず白色および黒色等の無彩色を含む）で形成された画像を視覚的に見えなくすること若しくは視覚的に見えにくくすることを意味する。「視覚的に見えなくする」とは、シートの下地の色とは異なる色で形成された画像が無色化（透明）する形態以外に、シートの下地の色とは異なる色で形成された画像をシートの下地の色と同一または近似する色に変色させることを意味する。
【００１６】
画像形成部６では、現像器６３０Ｙ〜６３０ＫはＣ〜Ｋの消色不可トナーを現像に用い、現像器６３は青色の消色トナーを現像に用いる。
【００１７】
感光体ドラム６２０Ｙ〜６２０Ｋおよび現像器６３０Ｙ〜６３０Ｋは、転写ベルト６５の回転方向において、感光体ドラム６２および現像器６３と、２次転写位置Ｕと、の間にある。２次転写位置Ｕは、２次転写ローラ６０が転写ベルト６５とニップを形成する位置である。感光体ドラム６２および現像器６３と感光体ドラム６２０Ｙ〜６２０Ｋおよび現像器６３０Ｙ〜６３０Ｋとの位置は逆でもよい。
【００１８】
画像形成部６は、不図示のレーザユニットにより感光体ドラム６２０Ｙ〜６２０Ｋ、６２上に静電潜像を形成し、現像器６３０Ｙ〜６３０Ｋ、６３により静電潜像を消色不可トナーおよび消色トナーを用いて現像する。画像形成部６は、現像したトナー像を、転写ベルト６５を介して２次転写位置Ｕでシートに転写する。
【００１９】
画像形成装置１００は、画像形成部６にてトナー像をシートに形成した後、シートを定着器６１に送る。画像形成装置１００は、定着器６１によりシートを加熱し、シートにトナー像を定着させる。
【００２０】
画像形成装置１００は、コントローラ２、表示部３、および入力部４を備える。コントローラ２は、画像形成装置１全体を制御する。コントローラ２は、プロセッサ２１とメモリ２２とを備える。プロセッサ２１は、メモリ２２内のプログラムを読み込んで各種の処理を行う。プロセッサ２１は、処理機能毎にいくつかに分かれていてもよいし、ＡＳＩＣ(Application Specific Integrated Circuit)を備えていてもよい。メモリ２２は、ＨＤＤ(Hard Disk Drive)を備えていてもよい。
【００２１】
表示部３は、タッチパネル等であり、画像形成装置１００の設定情報や動作ステータス、ログ情報、ユーザへの通知を表示する。
【００２２】
入力部４は、ボタンやキー、タッチパネルである。入力部４は、ユーザの入力を受け付け、印刷指示等、画像形成装置１００の機能動作の指示や、設定の入力を受け付ける。
【００２３】
図２は、ＡＤＦ９(Auto Document Feeder)の模式図である。
画像形成装置１００は、ＡＤＦ９を備える。ＡＤＦ９は、給紙トレイ９１から搬送路９２にシートを給紙する。ＡＤＦ９は、シートの両面の画像を読取部９４、９５によって読み取った後、シートを排紙トレイ９３に排紙する。読取部９４、９５は、ＣＣＤ(Charge Coupled Device)を備えていてもよい。
【００２４】
図３は、プロセッサ２１によるコピー処理を説明するためのフローチャートである。
プロセッサ２１は、消色不可トナーのみを用いる第１コピー処理、テキストのみ消色トナーを用いる第２コピー処理、および消色トナーのみを用いる第３コピー処理を選択可能な設定画面を表示部３に表示する。プロセッサ２１は、設定画面にて、第１コピー処理、第２コピー処理、および第３コピー処理のいずれかの選択を受け付ける（Ａｃｔ１）。
【００２５】
プロセッサ２１は、テキストのみ消色トナーを用いる第２コピー処理を受け付ける場合（Ａｃｔ２：ＹＥＳ、Ａｃｔ３：ＹＥＳ）、シート上の画像を読み取る（Ａｃｔ４）。
【００２６】
プロセッサ２１は、読み取った画像データの全面に対して第１テキスト認識（ＯＣＲ(Optical Character Recognition)）を行うか、読み取った画像データの指定範囲に対して第２テキスト認識を行うかを選択可能な設定画面を表示部３に表示する。プロセッサ２１は、設定画面にて第１テキスト認識および第２テキスト認識のいずれかの選択を受け付ける（Ａｃｔ５）。
【００２７】
プロセッサ２１は、画像データの指定範囲に対して行う第２テキスト認識を受け付ける場合（Ａｃｔ６：ＹＥＳ）、読み取った画像データを表示部３に表示する（Ａｃｔ７）。
【００２８】
プロセッサ２１は、画像データにおいて、テキスト認識を行う範囲のユーザによる指定を受け付ける（Ａｃｔ８）。テキスト認識を行う範囲は、画像データにおける予め定められた範囲、例えば上部、下部の中から選択できるようになっていてもよいし、ユーザが自由に範囲を指定できるようになっていてもよい。
【００２９】
プロセッサ２１は、Ａｃｔ８後、画像データの指定範囲に対してテキスト認識を行う（Ａｃｔ９）。プロセッサ２１は、画像データの全面に対して行う第１テキスト認識を受け付ける場合（Ａｃｔ６：ＮＯ）、画像データの全面にテキスト認識を行う（Ａｃｔ９）。
【００３０】
プロセッサ２１は、画像データにおけるテキスト認識を行う範囲内にテキストが有ると判定する場合（Ａｃｔ１０：ＹＥＳ）、テキストを抽出してオブジェクト化する（テキストを認識できるようにする）。プロセッサ２１は、画像データにおいて、テキストオブジェクトを消色トナーで印刷し、テキストオブジェクト以外の画像データ（イメージオブジェクト）を消色不可トナーで印刷する（Ａｃｔ１１）。
【００３１】
プロセッサ２１は、画像データにおけるテキスト認識を行う範囲内にテキストが無いと判定する場合（Ａｃｔ１０：ＮＯ）、画像データを消色不可トナーで印刷する（Ａｃｔ１２）。
【００３２】
プロセッサ２１は、消色不可トナーのみを用いる第１コピー処理を受け付ける場合（Ａｃｔ２：ＮＯ）、シート上の画像を読み取り（Ａｃｔ１３）、読み取った画像データを消色不可トナーで印刷する（Ａｃｔ１２）。
【００３３】
プロセッサ２１は、消色トナーのみを用いる第３コピー処理を受け付ける場合（Ａｃｔ３：ＮＯ）、シート上の画像を読み取り（Ａｃｔ１４）、読み取った画像データを消色トナーで印刷する（Ａｃｔ１５）。
【００３４】
（変形例）
Ａｃｔ１１において、プロセッサ２１は、画像データにおいてテキスト認識したテキストのうち、予め定められたテキスト列のみを消色トナーで印刷してもよい。
【００３５】
プロセッサ２１は、読取部９４，９５が読み取ったシートの画像データに対してテキスト認識を行い、テキストを画像形成部６によって第２色材を用いてシートに形成し、画像データにおけるテキスト以外の部分を画像形成部６によって第２色材と異なる第１色材を用いてシートに形成すればよい。
【００３６】
従って、前記実施形態では、第２色材として消色可能色材を用い、第１色材として消色不可色材を用いたが、第２色材としてＣＭＹＫの色材で出せない特殊色材（トナーまたはインク）を用いてもよい。特殊色材は、金色や光沢のある色の色材や、キラキラ光るラメ入りの色材であってもよい。
【００３７】
シート（記録媒体）は、普通紙の他、感熱紙、樹脂フィルム、布であってもよい。
【符号の説明】
【００３８】
２…コントローラ、３…表示部、４…入力部、６…画像形成部、９４，９５…読取部、１００…画像形成装置。
【図１】
2017102152.tif 000003
【図２】
2017102152.tif 000004
【図３】
2017102152.tif 000005